(57)【要約】【課題】筐体がスライド式構造の携帯電話機の操作性を向上させる。【解決手段】電子撮像装置（ＣＣＤカメラ）１４により、携帯電話機１の周辺の映像が取り込まれて映像信号が生成され、この後、係止解除操作体３０を操作して縮退状態にある携帯電話機１を伸展状態へ変位させたとき、制御部４０は、所定の電話番号への発呼処理又は所定のＷｅｂサーバへの接続処理を自動的に実行すると共に、併せて同映像信号を送出する処理を実行する。【選択図】図３
2007195245.tif 000002
【特許請求の範囲】
【請求項１】
正面側ユニットと、前記正面側ユニットの裏側の長軸方向にスライド自在に係合された裏面側ユニットと、前記正面側ユニット又は前記裏面側ユニットの一側面に配設され、前記裏面側ユニットに対する前記正面側ユニットの係止状態を解除するための係止解除操作体とを備えてなる携帯電話機であって、
自電話機の周辺の映像信号を生成する撮像手段と、
前記係止解除操作体が操作されて前記正面側ユニットと前記裏面側ユニットとが縮退状態から伸展状態に移行したとき、該伸展状態を検出して伸展検出信号を発生する伸展検出手段と、
前記伸展検出信号が発生したとき、所定の電話番号に対する発呼、又は所定のＷｅｂサーバに対する接続を行うと共に、併せて前記映像信号を送出する制御手段とを備えてなることを特徴とする携帯電話機。
【請求項２】
計時情報を発生する時計手段が設けられ、
前記制御手段は、
前記伸展検出信号が発生したとき、前記計時情報に基づいて前記所定の電話番号に対する発呼、又は前記所定のＷｅｂサーバに対する接続を行う時間判定部を有してなることを特徴とする請求項１記載の携帯電話機。
【請求項３】
自電話機の鉛直線に対する傾きを検出して傾斜情報を発生する傾斜検出手段が設けられ、
前記制御手段は、
前記伸展検出信号が発生したとき、前記傾斜情報に基づいて前記所定の電話番号に対する発呼、又は前記所定のＷｅｂサーバに対する接続を行う傾斜判定部を有してなることを特徴とする請求項１記載の携帯電話機。
【請求項４】
自電話機の位置を検出して位置情報を発生する位置検出手段が設けられ、
前記制御手段は、
前記伸展検出信号が発生したとき、前記位置情報に基づいて前記所定の電話番号に対する発呼、又は前記所定のＷｅｂサーバに対する接続を行う位置判定部を有してなることを特徴とする請求項１記載の携帯電話機。
【請求項５】
前記制御手段は、
前記伸展検出信号が発生したとき、外部から与えられた自電話機の位置情報に基づいて前記所定の電話番号に対する発呼、又は前記所定のＷｅｂサーバに対する接続を行うと共に、併せて前記映像信号を送出することを特徴とする請求項１記載の携帯電話機。
【請求項６】
表示部が設けられ、
前記制御手段は、
前記伸展検出信号が発生したとき、前記所定の電話番号に対する発呼、又は前記所定のＷｅｂサーバに対する接続を前記正面側ユニットの前記表示部の表示内容に応じて行うと共に、併せて前記映像信号を送出することを特徴とする請求項１記載の携帯電話機。
【請求項７】
前記制御手段は、
前記表示部が電話帳情報の表示中に前記伸展検出信号が発生したとき、前記表示中の前記電話帳情報に対応した電話番号に対して発呼する構成になされていることを特徴とする請求項６記載の携帯電話機。
【請求項８】
前記制御手段は、
前記表示部がＵＲＬ（Uniform Resource Locator）情報の表示中に前記伸展検出信号が発生したとき、前記表示中の前記ＵＲＬ情報に対応したＵＲＬに接続する構成になされていることを特徴とする請求項６記載の携帯電話機。
【発明の詳細な説明】
【技術分野】
【０００１】
この発明は、携帯電話機に係り、特に正面側ユニットと裏面側ユニットとがスライド機構で係合されているスライド式構造の筐体を有し、例えばダイヤル操作などを少なくする必要がある場合に用いて好適な携帯電話機に関する。
【背景技術】
【０００２】
携帯電話機は、その筐体が一体型（ストレートタイプ）の他、小形化の要求に対応するために２つのユニットで構成され、両ユニットが結合部材で結合されて折り畳み可能な折り畳み式構造やスライド式構造のものがある。スライド式構造の筐体は、主筐体（第１ユニット）と一部の機能部を実装した可動筐体（第２ユニット）とが主筐体に対して長軸方向にスライド可能に係合されて構成されている。そして、両ユニットが重なるように縮退させて携行される。
【０００３】
この種の携帯電話機では、通話時などには両ユニットが長軸方向に離間するように伸展され、所定の手順でダイヤル操作が行われる。この場合、電源スイッチがオン状態にされた後、開始キーが押下されて通話が可能であることが確認された後、テンキーで相手の電話番号が入力される。その後、自動的にダイヤル動作が行われ、相手の電話番号に対する発呼が行われる。また、自動ダイヤル機能を用いる場合、相手の電話番号を予めメモリに記憶させておき、通話時にコールキーを押下して相手の電話番号を同メモリから呼び出し、開始キーを押下すれば、自動的にダイヤル動作が始まる。同様に、所定のＷｅｂサーバに対する接続や電子メールの作成の起動なども、それぞれ所定の操作によって行われる。
【発明の開示】
【発明が解決しようとする課題】
【０００４】
しかしながら、上記従来の携帯電話機では、次のような問題点があった。
すなわち、所定の電話番号に対する発呼、所定のＷｅｂサーバに対する接続、電子メール作成の起動などでは、利用者が携帯電話機を伸展状態にした後、それぞれ所定の操作を行う必要がある。このため、利用者が毎回の操作に煩わしさを感じることがあるという問題点があった。
【０００５】
この発明は、上述の事情に鑑みてなされたもので、操作性及び利便性を向上させたスライド式構造の携帯電話機を提供することを目的としている。
【課題を解決するための手段】
【０００６】
上記課題を解決するために、請求項１記載の発明は、正面側ユニットと、前記正面側ユニットの裏側の長軸方向にスライド自在に係合された裏面側ユニットと、前記正面側ユニット又は前記裏面側ユニットの一側面に配設され、前記裏面側ユニットに対する前記正面側ユニットの係止状態を解除するための係止解除操作体とを備えてなる携帯電話機に係り、自電話機の周辺の映像信号を生成する撮像手段と、前記係止解除操作体が操作されて前記正面側ユニットと前記裏面側ユニットとが縮退状態から伸展状態に移行したとき、該伸展状態を検出して伸展検出信号を発生する伸展検出手段と、前記伸展検出信号が発生したとき、所定の電話番号に対する発呼、又は所定のＷｅｂサーバに対する接続を行うと共に、併せて前記映像信号を送出する制御手段とを備えてなることを特徴としている。
【０００７】
請求項２記載の発明は、請求項１記載の携帯電話機に係り、計時情報を発生する時計手段が設けられ、前記制御手段が、前記伸展検出信号が発生したとき、前記計時情報に基づいて前記所定の電話番号に対する発呼、又は前記所定のＷｅｂサーバに対する接続を行う時間判定部を有してなることを特徴としている。
【０００８】
請求項３記載の発明は、請求項１記載の携帯電話機に係り、自電話機の鉛直線に対する傾きを検出して傾斜情報を発生する傾斜検出手段が設けられ、前記制御手段が、前記伸展検出信号が発生したとき、前記傾斜情報に基づいて前記所定の電話番号に対する発呼、又は前記所定のＷｅｂサーバに対する接続を行う傾斜判定部を有してなることを特徴としている。
【０００９】
請求項４記載の発明は、請求項１記載の携帯電話機に係り、自電話機の位置を検出して位置情報を発生する位置検出手段が設けられ、前記制御手段が、前記伸展検出信号が発生したとき、前記位置情報に基づいて前記所定の電話番号に対する発呼、又は前記所定のＷｅｂサーバに対する接続を行う位置判定部を有してなることを特徴としている。
【００１０】
請求項５記載の発明は、請求項１記載の携帯電話機に係り、前記制御手段が、前記伸展検出信号が発生したとき、外部から与えられた自電話機の位置情報に基づいて前記所定の電話番号に対する発呼、又は前記所定のＷｅｂサーバに対する接続を行うと共に、併せて前記映像信号を送出することを特徴としている。
【００１１】
請求項６記載の発明は、請求項６記載の携帯電話機に係り、表示部が設けられ、前記制御手段が、前記伸展検出信号が発生したとき、前記所定の電話番号に対する発呼、又は前記所定のＷｅｂサーバに対する接続を前記正面側ユニットの前記表示部の表示内容に応じて行うと共に、併せて前記映像信号を送出することを特徴としている。
【００１２】
請求項７記載の発明は、請求項６記載の携帯電話機に係り、前記制御手段が、前記表示部が電話帳情報の表示中に前記伸展検出信号が発生したとき、前記表示中の前記電話帳情報に対応した電話番号に対して発呼する構成になされていることを特徴としている。
【００１３】
請求項８記載の発明は、請求項１記載の携帯電話機に係り、前記制御手段が、前記表示部がＵＲＬ（Uniform Resource Locator）情報の表示中に前記伸展検出信号が発生したとき、前記表示中の前記ＵＲＬ情報に対応したＵＲＬに接続する構成になされていることを特徴としている。請求項６記載の携帯電話機。
【発明の効果】
【００１４】
以上説明したように、この発明の構成によれば、縮退状態にある携帯電話機の係止解除操作体を１回操作して伸展状態とするのみで所定の電話番号への発呼処理、又は所定のＷｅｂサーバへの接続処理が行われると共に、併せて映像信号が送出されるで、利用者の利便性及び操作性を向上できる。また、伸展検出信号が発生したとき、計時情報に基づいて所定の電話番号に対する発呼、又は所定のＷｅｂサーバに対する接続が行われると共に、併せて映像信号が送出されるので、利用者の利便性及び操作性を向上できる。また、伸展検出信号が発生したとき、傾斜情報に基づいて所定の電話番号に対する発呼、又は所定のＷｅｂサーバに対する接続が行われると共に、併せて映像信号が送出されるで、利用者の利便性及び操作性を向上できる。
【００１５】
また、伸展検出信号が発生したとき、位置情報に基づいて所定の電話番号に対する発呼、又は所定のＷｅｂサーバに対する接続が行われると共に、併せて映像信号が送出されるで、利用者の利便性及び操作性を向上できる。また、伸展検出信号が発生したとき、外部から与えられた自電話機の位置情報に基づいて所定の電話番号に対する発呼、又は所定のＷｅｂサーバに対する接続が行われると共に、併せて映像信号が送出されるで、利用者の利便性及び操作性を向上できる。また、伸展検出信号が発生したとき、アンテナ部を伸展状態とするので、利用者の利便性及び操作性を向上できる。
【発明を実施するための最良の形態】
【００１６】
電子撮像装置（ＣＣＤカメラ）１４により、携帯電話機１の周辺の映像が取り込まれて映像信号が生成され、この後、係止解除操作体３０を操作して縮退状態にある携帯電話機１を伸展状態へ変位させたとき、制御部４０は、所定の電話番号への発呼処理又は所定のＷｅｂサーバへの接続処理を自動的に実行すると共に、併せて同映像信号を送出する処理を実行する。
【実施例１】
【００１７】
以下、図面を参照して、この発明の実施例について説明する。
図１（ａ），（ｂ）は、この発明の実施例１である携帯電話機の縮退状態の外観を示す図であり、同図（ａ）は側面図、及び同図（ｂ）が正面図である。
この形態の携帯電話機１は、同図（ａ）に示すように、正面側ユニット１０と、裏面側ユニット２０とから構成されている。裏面側ユニット２０は、アンテナ２３が取り付けられ、正面側ユニット１０の裏側の長軸方向にスライド自在に係合されている。また、裏面側ユニット２０の一側面には、同裏面側ユニット２０に対する正面側ユニット１０の係止状態を解除するための係止解除操作体（たとえば、ワンタッチスライドボタン）３０が配設されている。また、同図（ｂ）に示すように、正面側ユニット１０は、第１主表面１０ａを有し、表示部１１、副操作部１２、及び受話部１３を備えている。表示部１１には、タッチパネル１７が組み込まれている。
【００１８】
図２（ａ），（ｂ），（ｃ）は、図１の携帯電話機が伸展された状態を示す外観図であり、同図（ａ）は背面図、同図（ｂ）は側面図、及び同図（ｃ）が正面図である。
同図（ａ）に示すように、正面側ユニット１０は、その裏面に第１副表面１０ｂを有し、電子撮像装置（たとえば、ＣＣＤカメラ）１４、及び指紋認証部１５の光学開口部（たとえば、センサ部）を備えている。また、図示しないマグネットが第１副表面１０ｂ側の適宜位置に配設されている。また、裏面側ユニット２０には、例えば縮退状態で前記マグネットに対向する位置にホール素子などの図示しない磁気センサが配設されている。
【００１９】
また、同図（ｂ）に示すように、正面側ユニット１０と裏面側ユニット２０とは、携帯電話機１の内部に配設された図示しない付勢手段によって長軸方向に伸展するように付勢され、両ユニット１０，２０が重なった状態（すなわち、縮退状態）で同付勢手段に抗して両ユニット１０，２０を係止する係止手段（たとえば、ロック機構）が備えられている。この係止手段による係止は、係止解除操作体３０を操作することによって解除される。
【００２０】
また、裏面側ユニット２０は、同図（ｃ）に示すように、第２主表面２０ａを有し、主操作部２１及び送話部（マイクロホン）２２を備えている。裏面側ユニット２０の内部には、図示しない制御部などの電気回路が収容されている。
【００２１】
図３は、正面側ユニット１０及び裏面側ユニット２０の内部の電気的構成を示すブロック図である。
正面側ユニット１０には、表示部（たとえば、ＬＣＤ液晶ディスプレイ）１１と、副操作部（たとえば、副操作キー）１２と、受話部（たとえば、スピーカ）１３と、電子撮像装置（たとえば、ＣＣＤカメラ）１４と、指紋認証装置１５と、正面側ユニット１０と裏面側ユニット２０との相対位置（すなわち、伸展状態）を検出するためのマグネット１６と、表示部１１の表面に組み込まれたタッチパネル１７とが収容されている。
【００２２】
表示部１１は、例えば、相手先の電話番号情報やアイコン情報など、諸々の情報を表示する。副操作部１２は、正面側ユニット１０と裏面側ユニット２０とが縮退状態で、表示部１１の表示内容を視認しながらこれに関連する電子メール操作、画像操作、着信操作などの操作を行うためのものである。受話部１３は、各種の情報に対応した音声を発生する。電子撮像装置１４は、自電話機の周辺の映像を取り込んで映像信号を生成する。指紋認証装置１５は、利用者の指紋を認識して画像信号を生成する。マグネット１６は、正面側ユニット１０と裏面側ユニット２０との相対位置（すなわち、伸展状態）を検出する。タッチパネル１７は、表示部１１の表面に組み込まれ、利用者の指による操作内容を検出する。
【００２３】
裏面側ユニット２０には、主操作部（たとえば、操作キー）２１と、マイクロホン２２と、アンテナ２３と、ＲＦ回路２４と、変復調回路２５と、ベースバンド処理回路２６と、コーデック回路２７と、画像処理部２８と、認証処理部２９と、磁気センサ（たとえば、ホール素子）２Ａと、アンテナ駆動部２Ｂと、傾斜検出部２Ｃと、位置検出部２Ｄと、時計部２Ｅと、記憶部２Ｆと、報知手段２Ｇと、制御部４０とが収容されている。
【００２４】
主操作部２１は、送信キー、英字／カナ／漢字／数字の変換キー、電源のオン／オフキー、カーソル操作を行うための十文字キー、及び終了キーなどから構成されている。マイクロホン２２は、利用者の音声を受けて送話を行う。アンテナ２３は、図示しない無線基地局との間で電波を送受信する。ＲＦ回路２４は、図示しない受信回路、送信回路及び周波数シンセサイザを有している。変復調回路２５は、受信電波の復調、及び送信電波の変調を行う。ベースバンド処理回路２６は、変復調回路２５から出力される復調信号より元のベースバンド信号を取り出し、コーデック回路２７へ供給する。また、ベースバンド処理回路２６は、変復調回路２５から出力される復調信号よりキャラクタデータを取り出して制御部４０へ供給する。コーデック回路２７は、ベースバンド処理回路２６から出力されるベースバンド信号をディジタル／アナログ変換して受話部１３へ供給すると共に、制御部４０の出力信号をディジタル／アナログ変換する。
【００２５】
画像処理部２８は、電子撮像装置１４から出力される映像信号を取り込んで所定の信号レベルに増幅し、増幅後の映像信号をアナログ／ディジタル変換すると共に画像処理（たとえば、ガンマ補正、ホワイトバランス調整など）を行う。認証処理部２９は、指紋認証装置１５から出力される画像信号を取り込んで所定の画像処理（たとえば、拡大、縮小、指紋判別点の強調など）を行い、指紋照合に用いられる特徴点の検出を行う。特徴点は、隆線（指紋紋様の凸部）のとぎれる点（端点）及び隆線が分岐する点（分岐点）であり、これらを総称して特徴点という。
【００２６】
磁気センサ２Ａは、正面側ユニット１０と裏面側ユニット２０とが縮退状態のとき、マグネット１６の磁界によって所定の出力信号を発生し、同縮退状態を検知する。アンテナ駆動部２Ｂは、アンテナ２３の伸縮駆動を行う。傾斜検出部２Ｃは、携帯電話機１の傾斜の度合に応じて移動する図示しない可動子及び同可動子の移動を検出するセンサなどで構成され、携帯電話機１の傾斜を検出して傾斜情報を発生する。位置検出部２Ｄは、ＧＰＳ（Global Positioning System ）受信機で構成され、宇宙空間に位置する３機以上の衛星から発射された信号電波を受波して前記各信号電波の伝搬速度及び伝搬時間に基づいて前記各衛星と自電話機との間の距離を計測することにより、少なくとも緯度及び経度を含む自電話機の位置を測定し、位置情報を生成する。時計部２Ｅは、計時情報（年、月、日、曜日、時刻）を発生する。記憶部２Ｆは、たとえば電話帳情報などを記憶する。報知手段２Ｇは、たとえばスピーカ、バイブレータ、発光ダイオードなどで構成され、正面側ユニット１０と裏面側ユニット２０とが縮退状態又は伸展状態になったことを報知する。
【００２７】
制御部４０は、着信・終話制御部４１と、報知制御部４２と、アンテナ制御部４３と、回線制御部４４と、傾斜判定部４５と、位置判定部４６と、時間判定部４７と、信号変換回路４８と、伸展検出部４９と、表示制御部４Ａとから構成され、携帯電話機１全体を制御する。着信・終話制御部４１は、正面側ユニット１０と裏面側ユニット２０との縮退／伸展状態に対応した着信制御動作を行う。報知制御部４２は、正面側ユニット１０と裏面側ユニット２０との縮退／伸展状態に対応した着信時報知動作を報知手段２Ｇを制御して行う。たとえば、正面側ユニット１０と裏面側ユニット２０とが縮退状態になったとき、報知制御部４２の制御によって報知手段２Ｇがバイブレーションのみ、発光のみ、又はバイブレーションと発光とを行う。また、正面側ユニット１０と裏面側ユニット２０とが伸展状態になったとき、報知制御部４２の制御によって報知手段２Ｇが鳴音と発光とを行う。
【００２８】
アンテナ制御部４３は、アンテナ駆動部２Ｂによるアンテナ２３（伸縮可能なアンテナ、例えばホイップアンテナ）の伸展、又は伸縮駆動制御を行う。回線制御部４４は、伸展検出部４９から伸展検出信号が発生したとき、所定の電話番号に対する発呼、又は所定のＷｅｂサーバに対する接続を前記正面側ユニットの表示部１１の表示内容に応じて行う。傾斜判定部４５は、傾斜検出部２Ｃから出力される傾斜情報に基づいて携帯電話機１の傾斜状態を判別する。位置判定部４６は、位置検出部２Ｄから出力される位置情報に基づいて携帯電話機１の現在位置を判別する。時間判定部４７は、時計部２Ｅから出力される計時情報に基づいて年、月、日、曜日、及び時刻を判別する。
【００２９】
信号変換回路４８は、画像処理部２８から出力される映像信号を所定のフォーマット（たとえば、ＪＰＥＧ方式）に変換する。また、信号変換回路４８は、認証処理部２９から出力される特徴点の画像信号を指紋照合処理用のフォーマット（たとえば、各特徴点間の座標、紋様方向、近傍特徴点間の隆線交差数、紋様方向偏差など）に変換する。伸展検出部４９は、磁気センサ２Ａの出力信号に基づいて正面側ユニット１０と裏面側ユニット２０との縮退／伸展状態を判別し、縮退状態から伸展状態に移行したとき、伸展検出信号を発生する。表示制御部４Ａは、ベースバンド処理回路２６から供給される受信データに基づいて表示部１１に表示するためのキャラクタ情報やグラフィクス情報を生成し、表示部１１に表示する。
【００３０】
図４、図５、及び図６は、表示部１１に表示された情報を示す図である。
これらの図を参照して、この形態の携帯電話機の動作について説明する。
この携帯電話機１では、正面側ユニット１０と裏面側ユニット２０とが重なって係止された縮退状態のとき、係止解除操作体３０をスライドさせることにより、同正面側ユニット１０が同裏面側ユニット２０から上方向にスライドして伸展状態となり、主操作部２１が表出すると共にマイクロホン２２と受話部１３との距離が適切になり、各種操作や音声通話が可能になる。なお、この携帯電話機１では、正面側ユニット１０の第１主表面１０ａに副操作部１２が設けられているので、正面側ユニット１０と裏面側ユニット２０とが重なった状態で、表示部１１の表示内容を視認しながら同表示内容に関連する電子メール操作、画像操作、着信操作などが行われることもある。
【００３１】
次に、係止解除操作体３０を操作して正面側ユニット１０と裏面側ユニット２０とを縮退状態から伸展状態としたときの、所定の電話番号への発呼処理、所定のＷｅｂサーバへの接続処理、及び電子メール作成の起動処理について説明する。
（１）所定の電話番号への発呼処理
正面側ユニット１０と裏面側ユニット２０とが縮退状態にある携帯電話機１において電話帳検索などを行い、例えば、相手先の電話番号情報、アイコン情報などを表示部１１に表示させた状態で、係止解除操作体３０を操作して伸展状態（すなわち、通話位置）とする。たとえば、図４（ａ）では、表示部１１に電話帳情報（電話番号）を表示している状態、図４（ｂ）では、電話番号をアイコン登録し、そのアイコンを表示部１１上でフォーカス（選択）している状態、及び図４（ｃ）では、表示部１１に表示された受信メールの本文中の電話番号を同表示部１１上でフォーカス（選択）している状態が示されている。
【００３２】
制御部４０では、伸展検出部４９で磁気センサ２Ａの出力信号に基づいて縮退状態から伸展状態への変位、すなわち通話位置への変位が検出されると共に表示部１１の表示内容が判定され、同表示部１１に電話番号情報、あるいは電話番号情報に関連づけられた情報（例えば、画像、アイコン、名前などの電話帳情報）が表示されているか否かが判定される。そして、電話番号情報、あるいは電話番号情報に関連づけられた情報が表示されていた場合には、同電話番号情報に基づく自動発呼処理が回線制御部４４を介して行われる。なお、表示される情報が複数の電話番号を意味する場合は、予め任意の一つを選択するように設定されることがある。
【００３３】
（２）所定のＷｅｂサーバへの接続処理
縮退状態にある携帯電話機１の表示部１１にブックマーク情報、ＵＲＬ情報、あるいはＵＲＬ情報に関連づけられた情報が表示された状態で、係止解除操作体３０を操作して伸展状態（すなわち、通話位置）とする。たとえば、図５（ａ）では、表示部１１に表示されたブックマーク（登録済み）のうちの任意のブックマークをフォーカス（選択）している状態、図５（ｂ）では、表示部１１に表示されたＵＲＬ（履歴）のうちの任意のＵＲＬをフォーカス（選択）している状態、図５（ｃ）では、ＵＲＬをアイコン登録し、そのアイコンを表示部１１上でフォーカス（選択）している状態、及び図５（ｄ）では、表示部１１に表示された受信メールの本文中のＵＲＬをフォーカス（選択）している状態が示されている。
【００３４】
制御部４０では、伸展検出部４９で磁気センサ２Ａの出力信号に基づいて縮退状態から伸展状態への変位が検出された場合、同ブックマーク情報、ＵＲＬ情報、又はＵＲＬ情報に関連づけられた情報に基づくＷｅｂ接続（所定のＷｅｂサーバへの自動接続）処理が回線制御部４４を介して行われる。なお、表示される情報が複数のＷｅｂページ情報を意味する場合は、予め任意の一つを選択するように設定されることがある。
【００３５】
（３）電子メール作成の起動処理
縮退状態にある携帯電話機１の表示部１１にメールアドレス、受信メールなどの情報が表示（指定）された状態で、係止解除操作体３０を操作して伸展状態（すなわち、通話位置）とする。たとえば、図６（ａ）では、受信メール（発信者；ｓｅｎｄｅｒ＠ａａａ．ｃｏｍ）を表示している状態、及び図６（ｂ）では、電話帳情報（メールアドレス）を表示している状態が示されている。制御部４０では、伸展検出部４９で磁気センサ２Ａの出力信号に基づいて縮退状態から伸展状態への変位が検出された場合、同メールアドレス、受信メールなどの情報に基づくメール作成画面、すなわち所定のメールアドレスを宛先（受信者）とするメール作成処理が起動される。なお、表示される情報が複数のメールアドレスを意味する場合は、予め任意の一つを選択するように設定されることがある。
【００３６】
また、時計部２Ｅにより、年、月、日、曜日、時刻などの計時が行われるので、例えば、特定の時間帯と同時間帯における処理を予め指定しておけば、係止解除操作体３０を操作して縮退状態にある携帯電話機を伸展状態へ変位させることにより、年、月、日、曜日、時刻などに応じて、自動発呼処理、自動Ｗｅｂ接続処理、電子メール作成起動などが行われる。すなわち、時間帯（例えば、平日の夜９時以降）、及び処理（例えば、自宅宛の発呼）などを予め指定しておけば、１回の動作（係止解除操作体の操作）のみで発呼やＷｅｂ接続などの処理が行われ、利用者の利便性及び操作性が向上する。
【００３７】
また、傾斜検出部２Ｃにより、携帯電話機１の鉛直線に対する傾きが検出され、その傾き方に応じた処理が選択されるので、例えば、同携帯電話機１の傾きが垂直に近い場合は発呼処理、あるいは水平に近い場合はＷｅｂ接続など、処理を予め指定しておけば、係止解除操作体３０を操作した際の本体の傾きにより、自動発呼処理、自動Ｗｅｂ接続処理、電子メール作成起動などが行われる。すなわち、表示（指定）される情報が、電話番号、メールアドレス、Ｗｅｂページなどの複数の情報を含むものであっても、携帯電話機１の傾きから任意の一つを選択することができ、利用者の利便性及び操作性が向上する。
【００３８】
また、位置検出部２Ｄにより、携帯電話機１の現在位置の検出が行われ、例えば、特定の位置と同位置における処理を予め指定しておけば、係止解除操作体３０を操作して縮退状態にある携帯電話機１を伸展状態へ変位させることにより、位置に応じて、自動発呼処理、自動Ｗｅｂ接続処理、電子メール作成起動などが行われ、利用者の利便性及び操作性が向上する。なお、位置情報は、位置検出部２Ｄが生成するだけでなく、外部から位置情報として受け取ることもある。この場合、ＧＰＳ受信機で構成された位置検出部２Ｄが受信した電波が無線基地局へ送出され、同無線基地局で同電波が解析されて携帯電話機１の位置情報が生成される。この位置情報が携帯電話機１へ送出される。
【００３９】
また、アンテナ駆動部２Ｂにより、伸縮可能なアンテナ２３の伸展が制御されるので、所定の電話番号への発呼処理や所定のＷｅｂサーバへの接続処理の際、係止解除操作体３０を操作して縮退状態にある携帯電話機１を伸展状態へ変位させたとき、併せてアンテナ２３の伸長も行われ、利用者の利便性及び操作性が向上する。
【００４０】
また、電子撮像装置（ＣＣＤカメラ）１４により、携帯電話機１の周辺の映像が取り込まれて映像信号が生成されるので、所定の電話番号への発呼処理や所定のＷｅｂサーバへの接続処理の際、係止解除操作体３０を操作して縮退状態にある携帯電話機１を伸展状態へ変位させたとき、併せて同映像信号が送出され、利用者の利便性及び操作性が向上する。
【００４１】
以上のように、この実施例１では、縮退状態にある携帯電話機１の係止解除操作体３０を１回操作して伸展状態とするのみで所定の電話番号への発呼処理、所定のＷｅｂサーバへの接続処理、及び電子メール作成の起動が行われ、利用者の利便性及び操作性が向上する。
【実施例２】
【００４２】
図７（ａ），（ｂ），（ｃ）は、この発明の実施例２である携帯電話機の伸展された状態を示す外観図であり、同図（ａ）は背面図、同図（ｂ）は側面図、及び同図（ｃ）が正面図である。これらの図では、実施例１を示す図２中の要素と共通の要素には共通の符号が付されている。
この形態の携帯電話機１Ａでは、同図（ｃ）に示すように、電子撮像装置（ＣＣＤカメラ）１４が裏面側ユニット２０の第２主表面２０ａ上に設けられている。他は、図２と同様の構成である。
【００４３】
この形態の携帯電話機１Ａでは、電子撮像装置１４が第２主表面２０ａ上に設けられているので、テレビ電話通信やテレビ電話会議に用いることが可能になり、利用者の利便性及び操作性がさらに向上する。
【実施例３】
【００４４】
図８（ａ），（ｂ），（ｃ）は、この発明の実施例３である携帯電話機の伸展された状態を示す外観図であり、同図（ａ）は背面図、同図（ｂ）は側面図、及び同図（ｃ）が正面図である。これらの図では、実施例１を示す図２中の要素と共通の要素には共通の符号が付されている。
この形態の携帯電話機１Ｂでは、図２中の正面側ユニット１０、裏面側ユニット２０、及び係止解除操作体３０に代えて、異なる形状の正面側ユニット１０Ｂ、裏面側ユニット２０Ｂ、及び係止解除操作体３０Ｂが設けられている。正面側ユニット１０Ｂは、下方に開口する中空の鞘状に形成され、裏面側ユニット２０Ｂが同正面側ユニット１０Ｂの内部に収容され、長軸方向にスライド自在に係合されている。係止解除操作体３０Ｂは、正面側ユニット１０Ｂの一側面に配設されている。また、電子撮像装置１４及び指紋認証部１５は、裏面側ユニット２０Ｂの第２副表面２０ｂ上に設けられている。
【００４５】
図９（ａ），（ｂ）は、図８の携帯電話機が縮退された状態を示す外観図であり、同図（ａ）は側面図、及び同図（ｂ）が正面図である。
この図９に示すように、裏面側ユニット２０Ｂが正面側ユニット１０Ｂ内に収納された状態（縮退状態）では、主操作部２１、電子撮像装置１４、及び指紋認証部１５の光学開口部が、正面側ユニット１０Ｂの背面部分に覆われて保護される。
【００４６】
この形態の携帯電話機１Ｂでは、実施例１とほぼ同様の動作が行われ、同様の利点がある。
【実施例４】
【００４７】
図１０（ａ），（ｂ），（ｃ），（ｄ）は、この発明の実施例４である携帯電話機の伸展された状態を示す外観図であり、同図（ａ）は背面図、同図（ｂ）は側断面図、同図（ｃ）は側面図、及び同図（ｄ）が正面図である。これらの図では、実施例３を示す図８中の要素と共通の要素には共通の符号が付されている。
この形態の携帯電話機１Ｃでは、図８中の正面側ユニット１０Ｂ及び裏面側ユニット２０Ｂに代えて、異なる表面形状の正面側ユニット１０Ｃ及び裏面側ユニット２０Ｃが設けられている。正面側ユニット１０Ｃでは、第１主表面１０ａと反対側の内部空間に面した裏面側表面（第１副表面）１０ｅに電子撮像装置１４が設けられている。さらに、正面側ユニット１０Ｃの背面部の電子撮像装置１４に対向する部位に、透光部１０ｄが設けられている。透光部１０ｄは、電子撮像装置１４の開口部より僅かに大きな貫通孔である。他は、図８と同様の構成である。
【００４８】
この形態の携帯電話機１Ｃでは、実施例１とほぼ同様の動作が行われ、同様の利点がある。加えて、裏面側ユニット２０Ｃが正面側ユニット１０Ｃから引き出されて展伸状態（使用状態）になっているとき、外部の光線が透光部１０ｄを透過して電子撮像装置１４の開口部から入光し、同電子撮像装置１４で撮像された画像が通信に利用される。また、裏面側ユニット２０Ｃが正面側ユニット１０Ｃ内に収容された状態（縮退状態）では、電子撮像装置１４の開口部が裏面側ユニット２０Ｃに隠されて保護される。
【００４９】
以上、この発明の実施例を図面により詳述してきたが、具体的な構成はこの実施例に限られるものではなく、この発明の要旨を逸脱しない範囲の設計の変更などがあってもこの発明に含まれる。
例えば、各実施例では、係止解除操作体３０を１回操作して縮退状態から伸展状態とするのみで所定の電話番号への発呼処理、所定のＷｅｂサーバへの接続処理、及び電子メール作成の起動が行われる例を示したが、予め利用者が任意に設定した動作を行うようにしても良い。また、図１０中の透光部１０ｄは、少なくとも該当部分を透明な材料で形成したり、該当部分に透明な保護板を設けるようにして実現しても良い。これにより、気密性が高まり、異物が混入することもなくなる。また、マグネット１６及び磁気センサ２Ａは、正面側ユニット１０と裏面側ユニット２０との伸展／縮退状態に連動してオン状態／オフ状態になるスイッチで構成しても良い。
【図面の簡単な説明】
【００５０】
【図１】この発明の実施例１である携帯電話機の縮退状態の外観図である。
【図２】図１の携帯電話機が伸展された状態を示す外観図である。
【図３】正面側ユニット１０及び裏面側ユニット２０の内部の電気的構成を示すブロック図である。
【図４】表示部１１に表示された情報を示す図である。
【図５】表示部１１に表示された情報を示す図である。
【図６】表示部１１に表示された情報を示す図である。
【図７】この発明の実施例２である携帯電話機の伸展された状態を示す外観図である。
【図８】この発明の実施例３である携帯電話機の伸展された状態を示す外観図である。
【図９】図８の携帯電話機が縮退された状態を示す外観図である。
【図１０】この発明の実施例４である携帯電話機の伸展された状態を示す外観図である。
【符号の説明】
【００５１】
１，１Ａ，１Ｂ，１Ｃ      携帯電話機
１０，１０Ｂ，１０Ｃ      正面側ユニット
１１      表示部
１４      電子撮像装置（撮像手段）
１６      マグネット（伸展検出手段）
２０，２０Ｂ，２０Ｃ      裏面側ユニット
２１      主操作部
２３      アンテナ（アンテナ部）
２Ａ      磁気センサ（伸展検出手段）
２Ｂ      アンテナ駆動部（アンテナ制御部）
２Ｃ      傾斜検出部（傾斜検出手段）
２Ｄ      位置検出部（位置情報手段）
２Ｅ      時計部（時計手段）
３０，３０Ｂ      係止解除操作体
４０      制御部（制御手段）
４１      着信・終話制御部
４２      報知制御部
４３      アンテナ制御部
４４      回線制御部
４５      傾斜判定部
４６      位置判定部
４７      時間判定部
４８      信号変換回路
４９      伸展検出部
４Ａ      表示制御部
【図１】
2007195245.tif 000003
【図２】
2007195245.tif 000004
【図３】
2007195245.tif 000005
【図４】
2007195245.tif 000006
【図５】
2007195245.tif 000007
【図６】
2007195245.tif 000008
【図７】
2007195245.tif 000009
【図８】
2007195245.tif 000010
【図９】
2007195245.tif 000011
【図１０】
2007195245.tif 000012